【手続補正書】
【提出日】平成17年5月23日(2005.5.23)
【手続補正１】
【補正対象書類名】明細書
【補正対象項目名】全文
【補正方法】変更
【補正の内容】
【書類名】            明細書
【発明の名称】  情報配信システム
【特許請求の範囲】
【請求項１】  店舗に設けられた店舗内情報システムと、前記店舗を管理する本部に設けられた本部センターサーバとを公衆回線を介して接続した情報配信システムであって、
前記店舗内情報システムは、店舗内情報マスターデータベースと、当該店舗内情報マスターデータベースに接続された店舗サーバとを備えており、
前記本部センターサーバは、前記本部が管理するデータベースに接続されており、当該データベースの内容を、前記公衆回線を介して前記店舗内情報システムに配信可能であり、
前記店舗内情報マスターデータベースは、前記本部センターサーバから配信された内容が登録されて前記本部が管理する情報マスターデータベースと、前記店舗サーバによる登録処理が行われる店舗管理情報マスターデータベースとから構成されている、
ことを特徴とする情報配信システム。
【請求項２】  請求項１に記載の情報配信システムであって、
前記店舗サーバは、店舗内のネットワークを介して情報端末に接続されており、
前記情報端末は、前記ネットワークを介して前記店舗サーバに接続された前記店舗内情報マスターデータベースの内容を検索可能である、
ことを特徴とする情報配信システム。
【請求項３】  請求項１または２に記載の情報配信システムであって、
複数の店舗が各々店舗内情報システムを備えており、
本部センターサーバは、本部が管理するデータベースの内容を、公衆回線を介して複数の店舗の各々の店舗内情報システムに配信可能である、
ことを特徴とする情報配信システム。
【請求項４】  請求項１〜３のいずれかに記載の情報配信システムであって、
本部が管理する情報マスターデータベースを、各店舗共通のコンテンツ情報が登録される本部管理コンテンツマスターデータベースと、各店舗共通の景品情報が登録される本部管理景品マスターデータベースとで構成し、
店舗サーバによる登録処理が行われる店舗管理情報マスターデータベースを、当該店舗の独自のコンテンツ情報が登録される店舗管理コンテンツマスターデータベースと、当該店舗の独自の景品情報が登録される店舗管理景品マスターデータベースとで構成する、
ことを特徴とする情報配信システム。
【発明の詳細な説明】
【０００１】
【発明の属する技術分野】
本発明は情報配信システムに関し、特に、各店舗の景品及びコンテンツマスターデータベースを本部及び各店舗で登録処理できる技術に関するものである。
【０００２】
【従来の技術】
パチンコ店向けの各種管理システムにおいて、遊技台管理、会員管理、景品管理、コンテンンツ情報管理等がある。各管理システムは、それぞれマスターデータベースを管理しており、日々更新されている。
【０００３】
【発明が解決しようとする課題】
最近は、パチンコ店もチェーン店化が進み、それぞれの企業毎に本部を持って、各パチンコ店の管理及び指示を行いたいというニーズがある。この場合に、本部から景品管理のための景品マスターデータベースや情報提供のためのコンテンツマスターデータベースを配信できる情報配信システムをパチンコ店に設置することが望まれていた。
本発明はこのような点に鑑みてなされたものであり、その課題は、本部及び各店舗にて景品マスター管理及びコンテンツマスター管理をすることができる情報配信システムを提供することである。
【０００４】
【課題を解決するための手段】
上記課題を解決するため本願の第１の発明は、店舗に設けられた店舗内情報システムと、前記店舗を管理する本部に設けられた本部センターサーバとを公衆回線を介して接続した情報配信システムである。
前記店舗内情報システムは、店舗内情報マスターデータベースと、当該店舗内情報マスターデータベースに接続された店舗サーバとを備えている。
前記本部センターサーバは、前記本部が管理するデータベースに接続されており、当該データベースの内容を、前記公衆回線を介して前記店舗内情報システムに配信可能である。
そして前記店舗内情報マスターデータベースは、前記本部センターサーバから配信された内容が登録されて前記本部が管理する情報マスターデータベースと、前記店舗サーバによる登録処理が行われる店舗管理情報マスターデータベースとから構成されている。
【０００５】
更に、第２の発明は、請求項１に記載の情報配信システムであって、前記店舗サーバは、店舗内のネットワークを介して情報端末に接続されており、前記情報端末は、前記ネットワークを介して前記店舗サーバに接続された前記店舗内情報マスターデータベースの内容を検索可能である。
更に、第３の発明は、請求項１または２に記載の情報配信システムであって、複数の店舗が各々店舗内情報システムを備えており、本部センターサーバは、本部が管理するデータベースの内容を、公衆回線を介して複数の店舗の各々の店舗内情報システムに配信可能である。
更に、第４の発明は、請求項１〜３のいずれかに記載の情報配信システムであって、本部が管理する情報マスターデータベースを、各店舗共通のコンテンツ情報が登録される本部管理コンテンツマスターデータベースと、各店舗共通の景品情報が登録される本部管理景品マスターデータベースとで構成する。
そして店舗サーバによる登録処理が行われる店舗管理情報マスターデータベースを、当該店舗の独自のコンテンツ情報が登録される店舗管理コンテンツマスターデータベースと、当該店舗の独自の景品情報が登録される店舗管理景品マスターデータベースとで構成する。
【０００６】
上記の発明により、前記本部センターサーバが前記店舗内に設けられた前記本部管理コンテンツデータベース及び本部管理景品マスターデータベースの登録処理を行うので、前記各店舗の本部管理コンテンツマスターデータベース及び本部管理景品マスターデータベースの内容を共有化でき、景品コードを共有化できるとともに、前記各店舗共通のコンテンツの提供が可能となる。
【０００７】
上記の発明により、前記本部センターサーバが前記店舗内に設けられた前記情報マスターデータベースの登録処理を行うので、前記各店舗共通の情報（例えばコンテンツ、景品等）の提供が可能となるとともに、店舗サーバが前記店舗内に設けられた前記店舗管理情報マスターデータベースの登録処理を行うので、前記各店舗毎に地域に密着した情報の提供が可能となる。
【０００８】
【発明の実施の形態】
次に、本発明における実施の形態を図面に基づいて説明する。図１及び図２は該実施の形態に係わる情報配信システムのネットワークを示している。なお図１のＡ点は図２のＡ点に接続されている。
【０００９】
図１及び図２において、各遊技台に付設された情報端末１１ａ，１１ｂ〜１１ｎは島コンピューター１１に接続されている。なお島は複数の遊技台が配列された区域である。更に、各遊技台に付設された情報端末１２ａ，１２ｂ〜１２ｎは島コンピューター１２に接続され、各遊技台に接続された情報端末１３ａ，１３ｂ〜１３ｎは島コンピューター１３に接続されている。
なお、各遊技台はパチンコ機、スロットルマシン等であり、情報端末１１ａ〜１３ｎは、コンピューター端末として動作するものであり、各遊技台に一体に設けられたもの及び各遊技台とは別体に設けられたものの両方を含む。島コンピューター１１〜１３は集線装置（ＨＵＢ）として動作するものであり、図示された３台に限定されず任意の数とすることができる。
【００１０】
島コンピューター１１〜１３、情報キオスク１５、コンテンツサーバ２１、景品サーバ２２、ＰＯＳ端末２３及び通信サーバ２４、はスイッチ付き集線装置（ＳＷＨＵＢ）１４に接続されている。ＳＷＨＵＢ１４は、スイッチの切替えによりＳＷＨＵＢ１４に接続されている前記各装置１１〜２４間の接続状態を切り替えることができる。
各情報端末１１ａ〜１３ｎ及び情報キオスク１５は、ＳＷＨＵＢ１４を介して、コンテンツマスターＤＢ３１及び景品マスターＤＢ３２の内容を検索することができるとともに、各情報端末１１ａ〜１３ｎ及び情報キオスク１５間で情報交換をすることができる。
【００１１】
コンテンツマスターデータベース（コンテンツマスターＤＢ）３１は、本部管理コンテンツマスターＤＢ３１ａと店舗管理コンテンツマスターＤＢ３１ｂからなりコンテンツサーバ２１で制御されるように接続されている。
景品マスターデータベース（景品マスターＤＢ）３２は、本部管理景品マスターＤＢ３２ａと店舗管理景品マスターＤＢ３２ｂからなり景品サーバ２２で制御されるように接続されている。なお、コンテンツマスタ−ＤＢ３１及び景品マスターＤＢ３２は店舗内情報マスターＤＢに含まれている。また、コンテンツサーバ２１及び景品サーバ２２は店舗サーバに含まれる。
ＰＯＳ端末２３は各店舗における景品交換を管理するものである。
情報キオスク１５は遊技店の客（プレーヤー）に遊技台の情報等を提供するものである。
【００１２】
通信サーバ２５は店舗内情報システム（例えば上記各店舗毎の装置（図１に示すもの））をセンターサーバ４１に接続する働きをするものであり、モデム４６に接続されている。モデム４６は公衆回線４５を介してモデム４４に接続可能である。モデム４４はセンターサーバ４１に接続されている。
センターサーバ４１は各店舗（例えばチェーン店）の本部に設置されているものであり、本部管理コンテンツマスターＤＢ４２及び本部管理景品マスターＤＢ４３を制御するものである。
【００１３】
図３〜図５は、本部管理コンテンツマスターＤＢ３１ａに登録（記憶）される内容を各台情報端末１１ａ〜１３ｎ又は情報キオスク１５で表示している例を示している。本部管理コンテンツマスターＤＢ３１ａには本部管理コンテンツＤＢ４２の内容が通信サーバ２４及びコンテンツサーバ２１により配信される。
図３は、第１の本部管理コンテンツ例５１を示している。この場合は、本部からチェーン店全店のお客に対してご挨拶するコンテンツである。
図４は、第２の本部管理コンテンツ例５２を示している。この場合、本部からチェーン店全店のお客様に対して共通の話題となるコンテンツである。
図５は、第３の本部管理コンテンツ例５３を示している。この場合、本部からチェーン店全店のお客様に対する共通サービスのお知らせをするコンテンツである。
【００１４】
図６〜図８は、店舗管理コンテンツマスターＤＢ３１ｂに登録（記憶）される内容の例を示している。各店舗に設けられたコンテンツサーバ２１が店舗管理コンテンツマスターＤＢ３１ｂの登録処理（更新処理を含む。）を行う。
図６は、第１の店舗管理コンテンツ例６１を示している。この場合、各店舗からお客様に対して営業に関するご案内をするコンテンツである。
図７は、第２の店舗管理コンテンツ例６２を示している。この場合、各店舗の出玉情報に関する情報提供をするコンテンツである。
図８は第３の店舗管理コンテンツ例６３を示している。この場合、各店舗の近隣商店の商品をオリジナル景品としてお客様にご案内するコンテンツである。
【００１５】
以上の構成により、前記本部センターサーバ４１が前記店舗内に設けられた情報マスターデータベース（前記本部管理コンテンツデータベース３１ａ及び本部管理景品マスターデータベース３２ａを含む。）の登録処理を行うので、前記各店舗共通のコンテンツの提供が可能となるとともに、前記各店舗の本部管理コンテンツマスターデータベース３１ａ及び本部管理景品マスターデータベース３２ａの内容を共有化でき、景品コードを共有化できる。
【００１６】
更に、前記本部センターサーバ４１が前記店舗内に設けられた前記情報マスターデータベースの登録処理を行うので、前記各店舗共通の情報（例えばコンテンツ、景品等）の提供が可能となるとともに、店舗サーバ２１，２２が前記店舗内に設けられた前記店舗管理情報マスターデータベースの登録処理を行うので、前記各店舗毎に地域に密着した情報の提供が可能となる。
なお、本部センターサーバ４１が登録処理を行い各店舗に配信するマスターデータベースの内容は、コンテンツや景品に限られない。
【００１７】
【発明の効果】
本願の発明に係わる情報配信システムによれば、各店舗の本部管理景品マスターデータベースを本部にて一括管理することで、景品コードも共通化でき、景品の仕入れ管理、景品の在庫管理等も本部にて一括管理できるため、景品購入コストの削減及び景品在庫リスクの削減が可能となる。
更に、各店舗の本部管理コンテンツマスターデータベースのコンテンツデータを本部から配信することで、チェーン店間に共通のコンテンツ提供が可能となり、また、遠隔地からリアルタイムでコンテンツ変更が可能になる。
【００１８】
更に、本願の発明に係わる情報配信システムによれば、本部情報を得るとともに、店舗の独自性を出せる、地域の商店等と密着した景品提供やコンテンツ提供が可能となり、本部業務と店舗業務をバランスよく組み合わせて効率よく他店との差別化が可能となる。
【図面の簡単な説明】
【図１】
本願発明の実施の形態に係わるネットワークを示す図である。
【図２】
該実施の形態に係わるネットワークを示す図であリ、図１の続きである。
【図３】
該実施の形態における本部管理コンテンツの第１の例を示す図である。
【図４】
該実施の形態における本部管理コンテンツの第２の例を示す図である。
【図５】
該実施の形態における本部管理コンテンツの第３の例を示す図である。
【図６】
該実施の形態における店舗管理コンテンツの第１の例を示す図である。
【図７】
該実施の形態における店舗管理コンテンツの第２の例を示す図である。
【図８】
該実施の形態における店舗管理コンテンツの第３の例を示す図である。
【符号の説明】
１１〜１３  島コンピューター
１１ａ，１１ｂ〜１１ｎ  各台情報端末
１２ａ，１２ｂ〜１２ｎ  各台情報端末
１３ａ，１３ｂ〜１３ｎ  各台情報端末
１５  情報キオスク
２１  コンテンツサーバ
２２  景品サーバ
２３  ＰＯＳ端末
２５  通信サーバ
３１  コンテンツマスターデータベース
３１ａ  本部管理コンテンツマスターデータベース
３１ｂ  店舗管理コンテンツマスターデータベース
３２  景品マスターデータベース
３２ａ  本部管理景品マスターデータベース
３２ｂ  店舗管理景品マスターデータベース
４１  センターサーバ
４２  コンテンツマスターデータベース
４３  景品マスターデータベース
４４，４６  モデム
４５  公衆回線